【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
複数の端末装置と、各端末装置との間の接続を制御する接続制御装置とから構成されるシステムであって、
前記接続制御装置は、
過去の接続セッションにおける端末装置とユーザに関する情報とをセッション履歴情報として記録する記録手段と、
端末装置からの接続先候補要求に応じて、該端末装置のユーザに対応するセッション履歴情報を前記記録手段から参照することにより前記接続先候補要求を行った端末装置に接続先候補の端末装置を提示する提示手段とを有し、
前記複数の端末装置は、
前記接続制御装置に対して接続要求およびユーザ情報を送信する送信手段と、
前記接続制御装置から接続先候補の端末装置の一覧を受信する受信手段とを有することを特徴とするシステム。
【請求項２】
複数の端末装置との間の接続を制御する接続制御装置であって、
過去の接続セッションにおける端末装置とユーザに関する情報とをセッション履歴情報として記録する記録手段と、
端末装置からの接続先候補要求に応じて、該端末装置のユーザに対応するセッション履歴情報を前記記録手段から参照することにより前記接続先候補要求を行った端末装置に接続先候補の端末装置を提示する提示手段と、
を有することを特徴とする接続制御装置。
【請求項３】
前記提示手段は、前記接続先候補要求を行った端末装置のユーザに関する情報と前記セッション履歴情報における各ユーザに関する情報とを照合し、一致度の高い順に前記接続先候補の端末装置を提示することを特徴とする請求項２に記載の接続制御装置。
【請求項４】
前記提示手段は、前記一致度が同一の場合には接続回数の多い順か、接続開始又は終了時刻の何れかを新しい順に前記接続先候補の端末装置を提示することを特徴とする請求項３に記載の接続制御装置。
【請求項５】
前記ユーザに関する情報としてユーザの顔情報を記録する手段を更に有することを特徴とする請求項２乃至４の何れか一項に記載の接続制御装置。
【請求項６】
前記顔情報を照合する手段を更に有し、前記端末装置からユーザに関する情報として前記顔情報を受信し、受信した顔情報と前記顔情報を記録する手段に記録されている顔情報とを照合して当該ユーザを特定することを特徴とする請求項５に記載の接続制御装置。
【請求項７】
他の端末装置と通信する端末装置であって、
過去の接続セッションにおける前記他の端末装置とユーザに関する情報とをセッション履歴情報として取得する取得手段と、
前記端末装置のユーザに関する情報の入力を受付ける入力手段と、
前記入力手段により受付けたユーザに関する情報に対応する前記取得手段により取得したセッション履歴情報に基づいて、接続先候補の前記他の端末装置を提示する提示手段と、
を有することを特徴とする端末装置。
【請求項８】
顔情報を照合する手段を更に有し、前記入力手段によりユーザに関する情報として前記顔情報を受付け、受付けた顔情報と登録されている顔情報とを照合して当該ユーザを特定することを特徴とする請求項７に記載の端末装置。
【請求項９】
複数の端末装置と、各端末装置との間の接続を制御する接続制御装置とから構成されるシステムにおける制御方法であって、
前記接続制御装置は、
過去の接続セッションにおける端末装置とユーザに関する情報とをセッション履歴情報として記録手段に記録する記録工程と、
端末装置からの接続先候補要求に応じて、該端末装置のユーザに対応するセッション履歴情報を前記記録手段から参照することにより接続先候補の端末装置を提示する提示工程とを有し、
前記接続先候補要求を行った端末装置は、
前記接続制御装置に対して接続要求およびユーザに関する情報を送信する送信工程と、
前記接続制御装置から前記接続先候補の端末装置の一覧を受信する受信工程とを有することを特徴とする制御方法。
【請求項１０】
他の端末装置と通信する端末装置における制御方法であって、
過去の接続セッションにおける前記他の端末装置とユーザに関する情報とをセッション履歴情報として取得する取得工程と、
前記端末装置のユーザに関する情報の入力を受付ける入力工程と、
前記入力手段により受付けたユーザに関する情報に対応する前記取得工程において取得したセッション履歴情報に基づいて、接続先候補の前記他の端末装置を提示する提示工程と、
を有することを特徴とする制御方法。
【請求項１１】
複数の端末装置との間の接続を制御する接続制御装置における制御方法であって、
記録手段が、過去の接続セッションにおける端末装置とユーザに関する情報とをセッション履歴情報として記録する記録工程と、
提示手段が、端末装置からの接続先候補要求に応じて、該端末装置のユーザに対応するセッション履歴情報を参照することにより前記接続先候補要求を行った端末装置に接続先候補の端末装置を提示する提示工程と、
を有することを特徴とする制御方法。
【請求項１２】
請求項１０に記載の制御方法をコンピュータに実行させるためのプログラム。
【請求項１３】
請求項１１に記載の制御方法をコンピュータに実行させるためのプログラム。
【手続補正２】
【補正対象書類名】明細書
【補正対象項目名】発明の名称
【補正方法】変更
【補正の内容】
【発明の名称】システム、接続制御装置、端末装置、制御方法及びプログラム
【手続補正３】
【補正対象書類名】明細書
【補正対象項目名】００１２
【補正方法】変更
【補正の内容】
【００１２】
本発明は、複数の端末装置と、各端末装置との間の接続を制御する接続制御装置とから構成されるシステムであって、前記接続制御装置は、過去の接続セッションにおける端末装置とユーザに関する情報とをセッション履歴情報として記録する記録手段と、端末装置からの接続先候補要求に応じて、該端末装置のユーザに対応するセッション履歴情報を前記記録手段から参照することにより前記接続先候補要求を行った端末装置に接続先候補の端末装置を提示する提示手段とを有し、前記複数の端末装置は、前記接続制御装置に対して接続要求およびユーザ情報を送信する送信手段と、前記接続制御装置から接続先候補の端末装置の一覧を受信する受信手段とを有することを特徴とする。
【手続補正４】
【補正対象書類名】明細書
【補正対象項目名】００１３
【補正方法】変更
【補正の内容】
【００１３】
また、本発明は、複数の端末装置との間の接続を制御する接続制御装置であって、過去の接続セッションにおける端末装置とユーザに関する情報とをセッション履歴情報として記録する記録手段と、端末装置からの接続先候補要求に応じて、該端末装置のユーザに対応するセッション履歴情報を前記記録手段から参照することにより前記接続先候補要求を行った端末装置に接続先候補の端末装置を提示する提示手段と、を有することを特徴とする。
【手続補正５】
【補正対象書類名】明細書
【補正対象項目名】００１４
【補正方法】変更
【補正の内容】
【００１４】
更に、本発明は、他の端末装置と通信する端末装置であって、過去の接続セッションにおける前記他の端末装置とユーザに関する情報とをセッション履歴情報として取得する取得手段と、前記端末装置のユーザに関する情報の入力を受付ける入力手段と、前記入力手段により受付けたユーザに関する情報に対応する前記取得手段により取得したセッション履歴情報に基づいて、接続先候補の前記他の端末装置を提示する提示手段と、を有することを特徴とする。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
本発明によれば、ユーザの過去の接続セッションに基づいて、接続先端末装置候補を提示することができる。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】